(57)【要約】【課題】立体映像を観察するためのシャッタめがねの新たな利用分野を提供する。【解決手段】コンテンツ再生装置３００において、タイミング信号生成部３０６は、コンテンツを表示する表示パネル２０２を観察するユーザが装着するシャッタめがね４００のレンズのシャッタの開閉を指示するシャッタ制御信号と、少なくとも前記シャッタが開くときに表示パネル２０２のバックライト２０８が点灯するよう指示するバックライト制御信号とを生成する。送信部３０８は、前記シャッタ制御信号をシャッタめがね４００に送信する。タイミング信号生成部３０６は、バックライト２０８の点灯タイミングとシャッタめがね４００のレンズのシャッタを開くタイミングとの少なくともいずれか一方を変更する。【選択図】図３
2011249930.tif 000002
【特許請求の範囲】
【請求項１】
コンテンツを表示する表示パネルを観察するユーザが装着するシャッタめがねのレンズのシャッタの開閉を指示するシャッタ制御信号と、少なくとも前記シャッタが開くときに前記表示パネルのバックライトが点灯するよう指示するバックライト制御信号と、を生成するタイミング信号生成部と、
前記シャッタ制御信号を前記シャッタめがねに送信する送信部とを含み、
前記タイミング信号生成部は、前記バックライトの点灯タイミングと前記シャッタめがねのレンズのシャッタを開くタイミングとの少なくともいずれか一方を変更することを特徴とするコンテンツ再生装置。
【請求項２】
前記タイミング信号生成部は、前記表示パネルの周囲に存在する光である環境光を低減する場合、前記バックライトが通常よりも低い頻度で点灯するよう指示する前記バックライト制御信号を生成することを特徴とする請求項１に記載のコンテンツ再生装置。
【請求項３】
前記コンテンツを実現するためのプログラムを実行して前記表示パネルに出力するプログラム実行部をさらに含み、
前記タイミング信号生成部は、複数の前記コンテンツのうち特定のコンテンツについてプライバシフィルタをかける場合、前記シャッタめがねのレンズのシャッタを開く頻度を前記バックライトの点灯頻度よりも低い頻度となるよう指示する前記シャッタ制御信号を生成し、
前記プログラム実行部は、複数の前記コンテンツのうち特定のコンテンツについてプライバシフィルタをかける場合、前記シャッタめがねのレンズのシャッタの開くタイミングと同期して当該特定のコンテンツを前記表示パネルに出力することを特徴とする請求項１または２に記載のコンテンツ再生装置。
【請求項４】
コンテンツを表示する表示パネルを観察するユーザが装着するシャッタめがねのレンズのシャッタの開閉を指示するシャッタ制御信号を生成するステップと、
少なくとも前記シャッタが開くときに、前記表示パネルのバックライトの点灯を指示するバックライト制御信号を生成するステップと、
前記バックライトの点灯タイミングと前記シャッタめがねのレンズのシャッタを開くタイミングとの少なくともいずれか一方を変更するステップと、
前記シャッタ制御信号を前記シャッタめがねに送信するステップとをプロセッサに実行させることを特徴とするコンテンツ再生方法。
【請求項５】
コンテンツを表示する表示パネルを観察するユーザが装着するシャッタめがねのレンズのシャッタの開閉を指示するシャッタ制御信号を生成する機能と、
少なくとも前記シャッタが開くときに、前記表示パネルのバックライトの点灯を指示するバックライト制御信号を生成する機能と、
前記バックライトの点灯タイミングと前記シャッタめがねのレンズのシャッタを開くタイミングとの少なくともいずれか一方を変更する機能と、
前記シャッタ制御信号を前記シャッタめがねに送信する機能とをコンピュータに実現させることを特徴とするプログラム。
【請求項６】
コンテンツ再生装置と、前記コンテンツ再生装置の再生するコンテンツを表示する表示パネルと、前記表示パネルを観察するためのシャッタめがねとを含むコンテンツ表示システムであって、
前記コンテンツ再生装置は、前記表示パネルを観察するユーザが装着するシャッタめがねのレンズのシャッタの開閉を指示するシャッタ制御信号と、少なくとも前記シャッタが開くときに前記表示パネルのバックライトが点灯するよう指示するバックライト制御信号とについて、前記バックライトの点灯タイミングと前記シャッタめがねのレンズのシャッタを開くタイミングとの少なくともいずれか一方を変更可能とするタイミング信号生成部とを含み、
前記シャッタめがねは、前記コンテンツ再生装置から前記シャッタ制御信号を取得し、当該シャッタ制御信号をもとに左右のレンズのシャッタタイミングを制御するシャッタタイミング制御部を含み、
前記表示パネルは、前記コンテンツ再生装置から取得した再生すべきコンテンツの映像を表示する表示部と、前記コンテンツ再生装置から取得した前記バックライト制御信号をもとにバックライトを点灯させるバックライト駆動部とを含むことを特徴とするコンテンツ表示システム。
【発明の詳細な説明】
【技術分野】
【０００１】
本発明は、コンテンツ再生装置、コンテンツ再生方法、およびコンテンツ表示システムに関する。
【背景技術】
【０００２】
近年、民生用テレビの高性能化が進み、奥行きを持った立体映像を提示することが可能な３次元テレビが普及してきている。このような３次元テレビを実現するための方式は種々存在するが、中には左目用の画像と右目用の画像とを交互に時分割で表示する映像を観察するためのシャッタ式のシャッタめがねを着用する方式が存在する。
【発明の概要】
【発明が解決しようとする課題】
【０００３】
立体映像を観察するために専用のシャッタめがねを要する方式においては、当然のことながら、ユーザは必ずシャッタめがねを着用する。本発明者は、ユーザが必ずシャッタめがねを着用する点に着目し、本シャッタめがねを立体映像を観察するために利用するのみならず、新たな利用の可能性を探求できると考えた。
【０００４】
本発明はこのような状況を鑑みてなされたものであり、その目的は、立体映像を観察するためのシャッタめがねの新たな利用分野を提供することにある。
【課題を解決するための手段】
【０００５】
上記課題を解決するために、本発明のある態様はコンテンツ再生装置である。この装置は、コンテンツを表示する表示パネルを観察するユーザが装着するシャッタめがねのレンズのシャッタの開閉を指示するシャッタ制御信号と、少なくとも前記シャッタが開くときに前記表示パネルのバックライトが点灯するよう指示するバックライト制御信号と、を生成するタイミング信号生成部と、前記シャッタ制御信号を前記シャッタめがねに送信する送信部とを含む。ここで前記タイミング信号生成部は、前記バックライトの点灯タイミングと前記シャッタめがねのレンズのシャッタを開くタイミングとの少なくともいずれか一方を変更する。
【０００６】
本発明の別の態様はコンテンツ再生方法である。この方法は、コンテンツを表示する表示パネルを観察するユーザが装着するシャッタめがねのレンズのシャッタの開閉を指示するシャッタ制御信号を生成するステップと、少なくとも前記シャッタが開くときに、前記表示パネルのバックライトの点灯を指示するバックライト制御信号を生成するステップと、前記バックライトの点灯タイミングと前記シャッタめがねのレンズのシャッタを開くタイミングとの少なくともいずれか一方を変更するステップと、前記シャッタ制御信号を前記シャッタめがねに送信するステップとをプロセッサに実行させる。
【０００７】
本発明のさらに別の態様はコンテンツ表示システムである。このシステムは、コンテンツ再生装置と、前記コンテンツ再生装置の再生するコンテンツを表示する表示パネルと、前記表示パネルを観察するためのシャッタめがねとを含む。ここで前記コンテンツ再生装置は、前記表示パネルを観察するユーザが装着するシャッタめがねのレンズのシャッタの開閉を指示するシャッタ制御信号と、少なくとも前記シャッタが開くときに前記表示パネルのバックライトが点灯するよう指示するバックライト制御信号とについて、前記バックライトの点灯タイミングと前記シャッタめがねのレンズのシャッタを開くタイミングとの少なくともいずれか一方を変更可能とするタイミング信号生成部とを含み、前記シャッタめがねは、前記コンテンツ再生装置から前記シャッタ制御信号を取得し、当該シャッタ制御信号をもとに左右のレンズのシャッタタイミングを制御するシャッタタイミング制御部を含み、前記表示パネルは、前記コンテンツ再生装置から取得した再生すべきコンテンツの映像を表示する表示部と、前記コンテンツ再生装置から取得した前記バックライト制御信号をもとにバックライトを点灯させるバックライト駆動部とを含む。
【０００８】
なお、以上の構成要素の任意の組み合わせ、本発明の表現を方法、装置、システム、記録媒体、コンピュータプログラムなどの間で変換したものもまた、本発明の態様として有効である。
【発明の効果】
【０００９】
本発明によると、立体映像を観察するためのシャッタめがねの新たな利用分野を提供することができる。
【図面の簡単な説明】
【００１０】
【図１】シャッタ式の３次元映像表示システムの概観を示す図である。
【図２】立体映像を表示する場合のシャッタめがねのシャッタのタイミングと、３次元テレビにおけるバックライトの点灯のタイミングとの関係を示す図である。
【図３】実施の形態に係るコンテンツ表示システムの機能構成を模式的に示す図である。
【図４】環境光を低減する場合のシャッタめがねのシャッタのタイミングと、バックライトの点灯のタイミングとの関係を示す図である。
【図５】プライバシフィルタをかける場合のシャッタめがねのシャッタのタイミングと、バックライトの点灯のタイミングとの関係を示す図である。
【図６】実施の形態に係るコンテンツ表示システムの処理や通信手順を時系列的に示すシーケンス図である。
【発明を実施するための形態】
【００１１】
（前提技術）
実施の形態の前提となる３次元テレビシステムについて説明する。
【００１２】
人間の左右の目は６ｃｍ程度離れているため、左目から見える映像と右目から見える映像には視差が生じる。３次元空間における物体を異なる視点から見た場合の画像を「視差画像」という。人間の脳は、左右の目で知覚した視差画像を利用して物体の奥行きを認識しているといわれている。そのため、左目で知覚される視差画像と右目で知覚される視差画像とをそれぞれの目に投影すると、人間は奥行きを持った映像として認識する。以下、左右の視差画像を含む映像を「立体映像」といい、３次元映像と同様の意味で用いる。
【００１３】
図１は、視差画像を利用したシャッタ式の３次元映像表示システム１００の概観を示す図である。３次元映像表示システム１００は、視差画像を投影する３次元テレビ２００、視差画像を見るために利用するシャッタめがね４００、およびコンテンツ再生装置３００を含む。
【００１４】
３次元テレビ２００は、コンテンツ再生装置３００から取得した左目用の視差画像と右目用の視差画像とを交互に時分割で提示する。コンテンツ再生装置３００は、３次元テレビ２００の視差画像の表示タイミングを赤外線等の同期信号として無線で発信する。シャッタめがね４００は、コンテンツ再生装置３００から送信された同期信号を受信するための受信部（図示せず）を備えており、受信した同期信号に応じて左右のレンズにシャッタをかける。シャッタは、例えば既知の液晶シャッタの技術を用いることで実現できる。
【００１５】
具体的には、３次元テレビ２００が左目用の視差画像を表示する場合、シャッタめがね４００はコンテンツ再生装置３００から右目のレンズのシャッタを閉じるべき旨の信号を受信する。シャッタめがね４００は、受信した信号をもとに右目のレンズのシャッタを閉じることで、ユーザの右目に入る映像を遮蔽する。これにより、３次元テレビ２００が左目用の視差画像を表示する場合、ユーザの左目にのみ左目用の視差画像が投影される。反対に、３次元テレビ２００が右目用の視差画像を表示する場合、シャッタめがね４００が左目のレンズのシャッタを閉じることにより、ユーザの右目にのみ右目用の視差画像が投影される。
【００１６】
図１はコンテンツ再生装置３００と３次元テレビ２００とが別の装置である場合について図示したものであり、コンテンツ再生装置３００は例えば据置型のゲーム機である。コンテンツ再生装置３００の機能の全部または一部は、３次元テレビ２００の一部として組み込まれていてもよい。
【００１７】
図２は、立体映像を表示する場合のシャッタめがね４００のシャッタのタイミングと、３次元テレビ２００における視差画像の表示のタイミングとの関係を示す図である。図２においては、時刻２ｔにおいて所定の時間（例えば１０ミリ秒）シャッタめがね４００の右目のシャッタが開くと同時に同じ期間３次元テレビ２００の表示パネルのバックライトが点灯することを示している。また、時刻４ｔにおいて所定の時間シャッタめがね４００の左目のシャッタが開くと同時に同じ期間３次元テレビ２００の表示パネルのバックライトが点灯することを示している。それ以外の時刻においてはシャッタめがね４００の右目のシャッタおよび左目のシャッタが閉じ、かつ３次元テレビ２００の表示パネルのバックライトは消灯する。
【００１８】
時刻２ｔにおいて３次元テレビ２００が右目用の視差画像を表示してユーザの右目に右目用視差画像を提示し、時刻４ｔにおいて３次元テレビ２００が左目用の視差画像を表示してユーザの左目に左目用視差画像を提示することで、ユーザに奥行き感のある３次元映像を提示することが可能となる。
【００１９】
（実施の形態）
本発明の実施の形態の概要を述べる。実施の形態は、コンテンツが表示される表示パネルのバックライトの点滅周期に対するシャッタめがね４００のシャッタの開閉周期を変更することにより、ユーザの目に投影される光の量を制御する。これにより、表示パネルの周囲に存在する光である環境光を低減したり、シャッタめがね４００を着用しないユーザが表示パネルに表示される特定のコンテンツを見づらくなるよう制御したりする。
【００２０】
図３は、実施の形態に係るコンテンツ表示システム５００の機能構成を模式的に示す図である。コンテンツ表示システム５００は、表示パネル２０２、コンテンツ再生装置３００、およびシャッタめがね４００を含む。
【００２１】
コンテンツ再生装置３００は、操作受付部３０２、プログラム実行部３０４、タイミング信号生成部３０６、および送信部３０８を含む。
【００２２】
操作受付部３０２は、コンテンツ再生装置３００に対する操作をユーザから受け付けるユーザインタフェースである。プログラム実行部３０４は、操作受付部３０２から取得した指示をもとに、コンテンツを実現するためのコンテンツプログラムを実行する。コンテンツプログラムとは、例えばインターネットの情報を閲覧するブラウザ、電子メールのクライアント、チャット、ゲームや映画、音楽等を再生するためのプログラム等である。プログラム実行部３０４は、コンテンツプログラムの実行画面を後述する表示パネル２０２に出力する。
【００２３】
タイミング信号生成部３０６は、表示パネル２０２のバックライトの点灯を指示するためのバックライト制御信号と、表示パネル２０２を観察するユーザが装着するシャッタめがね４００の、左右のレンズのシャッタの開閉を指示するためのシャッタ制御信号とを生成する。
【００２４】
プログラム実行部３０４が実行するプログラムが、例えば立体映像のコンテンツのプログラムの場合、タイミング信号生成部３０６は、図２に示すように、左目用の視差画像をユーザの左目に投影し、右目用の視差画像をユーザの右目に投影するようにバックライト制御信号とシャッタ制御信号とを生成する。また、プログラム実行部３０４が実行するプログラムが、例えば電子メールクライアントのような通常の２次元のコンテンツのプログラムの場合、操作受付部３０２を介してユーザから特段の指示がない場合、タイミング信号生成部３０６はシャッタめがね４００の左右のレンズは常に開いた状態となるシャッタ制御信号を生成する。
【００２５】
送信部３０８は、タイミング信号生成部３０６が生成したシャッタ制御信号をシャッタめがね４００に送信する。送信部３０８はまた、タイミング信号生成部３０６を介してプログラム実行部３０４から取得したコンテンツに含まれる音声信号を、シャッタめがね４００に送信する。これらの送信は、例えば赤外線や近距離無線通信等の既知の技術を用いて実現される。
【００２６】
表示パネル２０２は、表示部２０６、バックライト駆動部２０４、およびバックライト２０８を含む。表示パネル２０２は、例えば前述の３次元テレビ２００の表示部分であり、液晶パネルの技術を用いて実現される。
【００２７】
バックライト駆動部２０４は、タイミング信号生成部３０６から取得したバックライト制御信号をもとに、バックライト２０８を駆動する。表示部２０６は、プログラム実行部３０４から取得したコンテンツを表示する。バックライト２０８は、例えば発光ダイオード等、数ミリ秒程度で高速に応答して点滅できるものが好ましい。
【００２８】
シャッタめがね４００は、受信部４０２、音声再生部４０４、シャッタタイミング制御部４０６、左目シャッタ駆動部４０８、左目シャッタ４１０、右目シャッタ駆動部４１２、および右目シャッタを含む。
【００２９】
音声再生部４０４は、受信部４０２を介してコンテンツ再生装置３００から取得した、コンテンツ再生装置３００にて再生中のコンテンツに含まれる音声信号を再生する。音声再生部４０４は、イヤフォンやヘッドフォン等の既知の技術で実現され、シャッタめがね４００と一体に構成される。
【００３０】
シャッタタイミング制御部４０６は、受信部４０２を介してコンテンツ再生装置３００から取得したシャッタ制御信号をもとに、左目シャッタ駆動部４０８と右目シャッタ駆動部４１２との動作を制御する。左目シャッタ駆動部４０８は、シャッタタイミング制御部４０６の制御の下、シャッタめがね４００の左目側のレンズのシャッタである左目シャッタ４１０を開閉する。同様に、右目シャッタ駆動部４１２は、シャッタタイミング制御部４０６の制御の下、シャッタめがね４００の右目側のレンズのシャッタである右目シャッタ４１４を開閉する。
【００３１】
図３は、実施の形態に係るコンテンツ表示システム５００を実現するための機能構成を示しており、その他の構成は省略している。図３において、さまざまな処理を行う機能ブロックとして記載される各要素は、ハードウェア的には、ＣＰＵ、メインメモリ、その他のＬＳＩで構成することができ、ソフトウェア的には、メインメモリにロードされたプログラムなどによって実現される。したがって、これらの機能ブロックがハードウェアのみ、ソフトウェアのみ、またはそれらの組み合わせによっていろいろな形で実現できることは当業者には理解されるところであり、いずれかに限定されるものではない。
【００３２】
例えば、コンテンツ再生装置３００が据置型のゲーム機であり、表示パネル２０２が３次元テレビ２００の表示部という場合もある。また、コンテンツ再生装置３００が携帯ゲーム機や携帯電話等の場合には、コンテンツ再生装置３００と表示パネル２０２とは一体の装置となる。
【００３３】
以下、タイミング信号生成部３０６が生成するバックライト制御信号とシャッタ制御信号との関係について説明する。表示パネル２０２のバックライト２０８が点灯しており、かつユーザの着用するシャッタめがね４００の左目シャッタ４１０が開いているとき、ユーザの左目に表示パネル２０２の表示部２０６の画像が投影される。同様に、表示パネル２０２のバックライト２０８が点灯しており、シャッタめがね４００の右目シャッタ４１４が開いているとき、ユーザの右目に表示部２０６の画像が投影される。
【００３４】
これは逆に、表示パネル２０２のバックライト２０８が点灯していてもシャッタめがね４００のシャッタが閉じているときは、ユーザの目には表示部２０６の画像は投影されない。また、シャッタめがね４００のシャッタが開いていても、表示パネル２０２のバックライト２０８が消灯しているときは、ユーザの目には表示部２０６の画像は投影されない。
【００３５】
そこで、タイミング信号生成部３０６は、シャッタ制御信号に制御されるシャッタめがね４００の左目シャッタ４１０または右目シャッタ４１４のいずれかあるいは両方が開いているときには、少なくともバックライト制御信号に制御される表示パネル２０２のバックライト２０８が点灯している状態となるように、バックライト制御信号およびシャッタ制御信号を生成する。バックライト２０８が点灯していても、シャッタめがね４００のいずれかのシャッタが開いているとは限らない。すなわち、バックライト２０８の点灯の頻度は、シャッタめがね４００のシャッタの開く頻度と同じかそれよりも高い頻度となる。
【００３６】
バックライト制御信号とシャッタ制御信号とを上記のように制御することによって、ユーザの目に投影される光の量を制御することが可能となる。例えばバックライト２０８が１２０［Ｈｚ］で点滅する場合を考える。このときバックライト制御信号とシャッタ制御信号とを同期させ、シャッタめがね４００の両方のシャッタも１２０［Ｈｚ］で開閉する場合と、シャッタめがね４００の両方のシャッタを３０［Ｈｚ］で開閉する場合とでは、後者は前者と比較してユーザの目に投影される光は４分の１倍（３０［Ｈｚ］／１２０［Ｊｚ］＝１／４倍）の量となる。
【００３７】
なお「ユーザの目に投影される光」には、表示パネル２０２から照射されるバックライト２０８を起源とする光のみならず、例えば太陽光のような自然光を起源とする光や、蛍光灯等の人工光源を起源とする光である環境光も含まれる。
【００３８】
以上述べたバックライト制御信号とシャッタ制御信号とを同期することでユーザの目に投影される光の量を制御する技術を用いて、実施の形態に係るコンテンツ表示システム５００で「環境光の低減」と「プライバシフィルタ」とを実現する原理を説明する。
【００３９】
表示パネル２０２が、例えば太陽光のような、バックライト２０８の生成する光よりも強い光を発生する光源下におかれた場合、ユーザは表示パネル２０２の映像が見づらくなることがある。図４は、そのような強い環境光を低減する場合のシャッタめがね４００のシャッタのタイミングと、バックライト２０８の点灯のタイミングとの関係を示す図である。
【００４０】
図４は、通常の頻度の４分の１の頻度でバックライト２０８を点灯し、バックライト２０８が点灯しているときに、シャッタめがね４００の両方のシャッタが開いていることを示す。通常の頻度でバックライト２０８が点灯する場合、時刻ｔ、２ｔ、および４ｔにおいても点灯するが、図４では時刻３ｔにおいてのみバックライト２０８がする。このようにすることにより、シャッタめがね４００のシャッタが開いている間のみユーザの目に環境光が投影されるため、シャッタめがね４００をかけない場合と比較してユーザの目に環境光が投影される環境光の量が減少する。この結果、ユーザの目に投影される環境光の量に対する、バックライト２０８を起源とする光の量が相対的に増加し、表示パネル２０２の視認性が向上する。表示パネル２０２に映像が表示されていない間にユーザの目に投影されていた環境光の量が削減されるからである。
【００４１】
そこでタイミング信号生成部３０６は、環境光を低減する場合、バックライト２０８の点灯を通常の頻度よりも低い頻度で点灯させるバックライト制御信号を生成し、表示部２０６に表示される複数のコンテンツすべてについて、バックライト２０８の点灯とシャッタめがね４００の左右のレンズのシャッタを開けるタイミングと同期させるシャッタ制御信号を生成する。
【００４２】
図５は、プライバシフィルタをかける場合のシャッタめがね４００のシャッタのタイミングと、バックライト２０８の点灯のタイミングとの関係を示す図である。ここで「プライバシフィルタをかける」とは、特定のコンテンツの表示について、シャッタめがね４００を着用していないユーザからの視認性を低減させることをいう。プライバシフィルタは任意のコンテンツプログラムにかけることが可能であるが、例えば電子メールのような個人利用が想定されるコンテンツプログラムにかけることが考えられる。
【００４３】
図５は、バックライト２０８は通常の頻度で点灯するが、シャッタめがね４００の両方のシャッタは通常の頻度の４分の１のフレームレートで開閉することを示す。すなわち、バックライト２０８は時刻ｔ、２ｔ、３ｔ、および４ｔにおいて点灯するが、シャッタめがね４００の両方のシャッタは時刻３ｔにおいてのみ開く。
【００４４】
プログラム実行部３０４は、操作受付部３０２を介してユーザから特定のコンテンツについてプライバシフィルタをかけるべき旨の指示を取得すると、図５における時刻３ｔにおいてのみ、コンテンツプログラムの実行画面を表示部２０６に出力する。プライバシフィルタをかけるべき旨の指示のない他のコンテンツについては、プログラム実行部３０４は、通常のフレームレートでコンテンツプログラムの実行画面を表示部２０６に出力する。すなわち、図５における時刻ｔ、２ｔ、３ｔ、および４ｔにおいてコンテンツプログラムの実行画面を表示部２０６に出力する。なお、バックライト２０８は通常の点滅の頻度と、プログラム実行部３０４が表示部２０６に出力する通常のフレームレートとは同じである。
【００４５】
シャッタめがね４００を着用していないユーザが表示パネル２０２を観察すると、図５における時刻ｔ、２ｔ、および４ｔにおいてはプライバシフィルタのかかっていないコンテンツのみを知覚する。時刻３ｔにおいては、プライバシフィルタのかかっていないコンテンツとともに、プライバシフィルタのかかった特定のコンテンツも知覚する。このため、シャッタめがね４００を着用していないユーザにとっては、時刻３ｔにおいてのみ表示されるプライバシフィルタのかかった特定のコンテンツと比較して、時刻ｔ、２ｔ、および４ｔにも表示されるプライバシフィルタのかかっていないコンテンツの印象が強くなる。その結果、プライバシフィルタのかかった特定のコンテンツは観察しづらくなる。
【００４６】
一方、シャッタめがね４００を着用したユーザが表示パネル２０２を観察すると、図５における時刻３ｔにおいて表示される映像のみ知覚する。したがってプライバシフィルタの有無に関わらずすべてのコンテンツを等しく観察することになるため、プライバシフィルタのかかった特定のコンテンツのみが観察しづらくなるということにはならない。
【００４７】
なお、プライバシフィルタのかかった特定のコンテンツは、他のコンテンツに隠されないように、表示部２０６の最前面に表示する。また、プライバシフィルタをかけるべき指示はあらかじめ操作受付部３０２を介してユーザから取得し、タイミング信号生成部３０６内の格納部（図示せず）に格納される。ユーザは、プライバシフィルタをかけるべきか否かの指示を、操作受付部３０２を介していつでも変更することができる。
【００４８】
このように、タイミング信号生成部３０６がシャッタめがね４００の左右のレンズのシャッタを開ける頻度を通常の頻度よりも低い頻度となるようなシャッタ制御信号を生成し、同時に、プログラム実行部３０４がその頻度に同期するフレームレートで、プライバシフィルタをかけるべき特定のコンテンツを表示部２０６に出力する。これにより、特定のコンテンツについてプライバシフィルタをかけることできる。フィルム等の物理的なプライバシフィルタと比較して、コンテンツ毎にプライバシフィルタをかけるか否かを制御できる点で有利である。
【００４９】
図６は、実施の形態に係るコンテンツ表示システム５００の処理や通信手順を時系列的に示すシーケンス図である。図６に示すシーケンス図においては、各部の処理や通信手順を、ステップを意味するＳ（Ｓｔｅｐの頭文字）と数字との組み合わせによって表示する。また、Ｓと数字との組み合わせによって表示した処理で何らかの判断処理が実行され、その判断結果が肯定的であった場合は、Ｙ（Ｙｅｓの頭文字）を付加して、例えば（Ｓ３０のＹ）と表示し、逆にその判断結果が否定的であった場合は、Ｎ（Ｎｏの頭文字）を付加して、（Ｓ３０のＮ）と表示する。本シーケンスにおける処理は、操作受付部３０２がユーザの操作を取得したときに開始する。
【００５０】
操作受付部３０２は、ユーザからコンテンツプログラムの実行の指示、およびプライバシフィルタをかけるか否かの指示を受け付ける（Ｓ１０）。プログラム実行部３０４は、指示されたコンテンツプログラムを実行する（Ｓ１２）。
【００５１】
タイミング信号生成部３０６は、プライバシフィルタをかけるか否かの指示をもとに、バックライト制御信号を生成する（Ｓ１４）。タイミング信号生成部３０６はまた、プライバシフィルタをかけるか否かの指示をもとに、シャッタ制御信号を生成する（Ｓ１６）。
【００５２】
タイミング信号生成部３０６は、生成したバックライト制御信号をバックライト駆動部２０４に出力する（Ｓ１８）。送信部３０８は、タイミング信号生成部３０６から取得したシャッタ制御信号をシャッタめがね４００に無線で送信する（Ｓ２０）。
【００５３】
バックライト駆動部２０４はタイミング信号生成部３０６からバックライト制御信号を受信し（Ｓ２２）、その信号をもとにバックライト２０８の点灯を制御する（Ｓ２４）。受信部４０２は送信部３０８からシャッタ制御信号を受信する（Ｓ２６）。シャッタタイミング制御部４０６は、受信部４０２から取得したシャッタ制御信号をもとに左目シャッタ駆動部４０８および右目シャッタ駆動部４１２の駆動をして、左目シャッタ４１０および右目シャッタ４１４の開閉を制御する（Ｓ２８）。
【００５４】
プログラム実行部３０４は、実行中のコンテンツの再生が終了しない場合（Ｓ３０のＮ）、ステップＳ１０に戻って上述の処理を継続する。バックライト駆動部２０４は、プログラム実行部３０４におけるコンテンツの再生が終了せずバックライト制御信号が送られてくる場合（Ｓ３２のＮ）、ステップＳ２２に戻って処理を継続する。受信部４０２も、プログラム実行部３０４におけるコンテンツの再生が終了せずシャッタ制御信号が送信されてくる場合（Ｓ３４のＮ）、ステップＳ２６に戻って処理を継続する。
【００５５】
プログラム実行部３０４におけるコンテンツの再生が終了すると（Ｓ３０のＹ）、（Ｓ３２のＹ）、および（Ｓ３４のＹ）、本シーケンスにおける処理は終了する。
【００５６】
以上の構成による動作は以下のとおりである。ユーザは、コンテンツ再生装置３００で任意のコンテンツを再生し、シャッタめがね４００を着用して観察する。操作受付部３０２を介してコンテンツ再生装置３００に環境光低減やプライバシフィルタをかけるべき旨の指示を出すと、タイミング信号生成部３０６はそれらの指示をもとにバックライト制御信号とシャッタ制御信号との同期の仕方を変更する。ユーザからの指示が特定のコンテンツにプライバシフィルタをかけるべき旨の指示の場合、プログラム実行部３０４はそのコンテンツについて、表示パネル２０２に出力する際のフレームレートを下げる。
【００５７】
以上説明したように、実施の形態によれば、シャッタめがね４００を立体映像を観察するためのみならず、通常の２次元映像表示における環境光の低減やプライバシフィルタとして利用するという新たな利用分野を提供することができる。
【００５８】
以上、本発明を実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。
【００５９】
上記の説明ではシャッタめがね４００がひとつの場合について説明したが、シャッタめがね４００は複数あってもよい。複数のシャッタめがね４００に固有の識別子を定めることにより、コンテンツ再生装置３００が複数のシャッタめがね４００それぞれ一意に特定できるようにする。これにより、複数のユーザそれぞれにプライバシフィルタを実現したり、画面を時分割で共有したりすることで複数のユーザそれぞれに異なるコンテンツを提示することが可能となる。
【符号の説明】
【００６０】
１００  ３次元映像表示システム、  ２００  ３次元テレビ、  ２０２  表示パネル、  ２０４  バックライト駆動部、  ２０６  表示部、  ２０８  バックライト、  ３００  コンテンツ再生装置、  ３０２  操作受付部、  ３０４  プログラム実行部、  ３０６  タイミング信号生成部、  ３０８  送信部、  ４０２  受信部、  ４０４  音声再生部、  ４０６  シャッタタイミング制御部、  ４０８  左目シャッタ駆動部、  ４１０  左目シャッタ、  ４１２  右目シャッタ駆動部、  ４１４  右目シャッタ、  ５００  コンテンツ表示システム。
【図１】
2011249930.tif 000003
【図２】
2011249930.tif 000004
【図３】
2011249930.tif 000005
【図４】
2011249930.tif 000006
【図５】
2011249930.tif 000007
【図６】
2011249930.tif 000008